(57)【要約】【課題】迅速かつ良品率の高いメモリーカードの製造過程に関する。【解決手段】  主にカード本体とブロックから形成される新型カードの構造で、材質にはいずれも熱可塑性樹脂を使用し、カード本体の開口部に設けられている第二スロットと第二コネクタを相互に接続することで、一つのメモリーカードの筐体サイズを形成し、ブロックからカード本体を取り外し、さまざまなカードの厚みに合わせてカード本体とブロックを差し込んだり抜いたりすることで、USBポートの厚みに対応させることができ、メモリーカードとUSBの２つのインターフェイスに対応できる。【選択図】 図１
2008257483.tif 000002
【特許請求の範囲】
【請求項１】
一種の新型カードの構造であり、これは主にカード本体とブロックから形成され、カード本体は熱可塑性樹脂を材質に採用し、カード内部にチップモジュールを搭載し、カードの一端にはメモリーカード規格に準拠したI/Oポートが設置してあり、別の一端には開口部が設置してあり、この残りの部分はUSB(Universal
Serial Bus)のサイズと幅に適合し、この一端の一方の面にI/Oポートを備え、もう一方の面には第一スロットを設置し、開口部の横の壁面には第二スロットが設置されている。また、ブロックにもカード本体同様、熱可塑性樹脂を材質として採用し、筐体はカード本体にある開口部の大きさに適合し、ブロックの両側の角の側面には第二コネクタが設置してあり、これはカード本体の開口部に設けられている第二スロットと相互に接続することで、ひとつのメモリーカードの筐体サイズを成し、ブロックの一面にはカード本体に取り付けられている第一スロットにぴったり接続・差し込むことができる第一コネクタが設けられている。そして、ブロックからカード本体を取り外し、さまざまなカードの厚みに合わせてカード本体とブロックを差し込んだり抜いたりすることで、USBポートの厚みに対応させることができ、メモリーカードとUSBの２つのインターフェイスに対応できることを特徴とするものである。
【請求項２】
新型カードの構造は、そのうちのカードに搭載されたチップモジュールが熱固性樹脂でパッケージングされ、この外側をさらに熱可塑性樹脂で被覆し、ひとつのカードの筐体を作る請求項１に記載の新型カードの構造。
【請求項３】
新式カードの構造は、そのうちのカードに搭載されたチップモジュールが熱可塑性樹脂でパッケージング・被覆され、ひとつのカードの筐体を成す請求項１に記載の新型カードの構造。
【請求項４】
新型カードの構造は、そのうちのカード本体の開口部の側面に第一スロットとブロックに設置されている第一コネクタを結合させ、相対する凸部と凹部を形成するエンベッドカードである請求項１に記載の新型カードの構造。
【請求項５】
新型カードの構造は、そのうちのカード本体とブロックにそれぞれ相対して差込・抜出ができるようにくぼみと突起物が設置されている請求項１に記載の新型カードの構造。
【請求項６】
新型カードの構造は、そのうちの第一コネクタが二列に並び、１つは細く、もう一つは太くそれぞれ異なる規格で設計されている請求項４に記載の新型カードの構造。
【請求項７】
新型カードの構造は、そのうち二列に並んでいる第一コネクタがすべて同じ向きに設置されている請求項６に記載の新型カードの構造。
【請求項８】
新型カードの構造は、そのうちの二列に並んでいる第一コネクタが２つ反対方向に設置されている請求項６に記載の新型カードの構造。
【請求項９】
新型カードの構造は、そのうちの二列に並んでいる第一コネクタが２つ内側に向けて設置されている請求項６に記載の新型カードの構造。
【発明の詳細な説明】
【技術分野】
【０００１】
新型カードの構造で、特に情報の保存・取出しに使用するメモリーカードの構造設計と製造過程に関する。
【背景技術】
【０００２】
科学技術が日進月歩で発達するにつれ、パソコン・MP３プレイヤー・デジタルカメラ・ビデオカメラ等マルチメディア製品を含む電子情報技術関連製品が一般の人々の間でも広く使われるようになった。そのため、消費者がこれらマルチメディア製品を使って、情報をデジタル的に記憶させる装置に対する需要も日増しに増加しているが、それぞれ適用する商品により、違う規格サイズや装置の記憶装置を使うことを余儀なくされているのが現状である。
【０００３】
メモリーカード・携帯型音楽プレイヤー等デジタル記憶装置は、パソコンーユーザーにとり、自由に持ち運びができる必要不可欠かつ便利な製品であり、以前のフロッピー（登録商標）ディスクと比べて、メモリーカード・携帯型音楽プレイヤーはコンパクトであるにもかかわらず、そのキャパシティ（容量）はフロッピー（登録商標）ディスクの何倍もあり、保存速度も非常に速く、その上メモリーカード・携帯型音楽プレイヤーは、フロッピー（登録商標）ディスクのように容易に湿潤又は毀損せず、スピーディーに記憶・書き込みができることから、パソコン及び周辺機器にとって必要不可欠なオプション製品になっている。
【０００４】
携帯型音楽プレイヤーは、通常伝送インターフェイスとしてUSBが搭載されており、現時点においてUSBは一般的にパソコン及び周辺機器の基本装備となっており、場所や時間を気にすることなく自由に持ち運べ挿して使え、多種多様なオペレーションシステム（OS）においてもドライバをインストール必要がなく、そのためパソコンなどへの差込や取り外しが容易であるばかりか、USBユーザーにとっても情報の書き込み・取出しがスピーディーにでき、操作が簡単で経済的なデジタル製品である。
【０００５】
これとは対照的に、メモリーカードは、デジタル関連周辺機器において機種ごとに規格の使用が制限されているため、メモリーカードはスマートメディア（SM）カード、SDメモリーカード、マルチメディアカード、メモリースティック、CFカード、XDカードなどさまざまな形状と規格に分けられ、それぞれに対応するデジタルカメラ・掌サイズ音楽プレイヤー・MP３プレイヤー・PDA・携帯電話機などの型番・メーカー・ブランドに適合するようになっており、各メモリーカードの規格やサイズがいずれも違うだけでなく、それぞれのメモリーカードに対応したコネクターしか使うことができず、各メモリーカードの間で互換性が低い。そのため、消費者にとって多種多様なメモリーカードを購入しなければならず経済的負担が大きいばかりか、メモリーカードを買って使おうと思っても、結局規格が合わず使えない場合も多いという。
【０００６】
そこで、ある業者が情報の取出ができる記憶装置にUSB及びメモリーカードインターフェイス（当該メモリーカードインターフェイスの規格はSDメモリーカード、マルチメディアカード、CFカード等とする）を設置し、これらの構造により、２つのインターフェイス間の情報伝送を行おうとしたものの、依然次のような欠陥の改善が待たれている。
【０００７】
1.メモリーカードの製造方法は、基板の上にチップモジュール（フラッシュメモリー・コントロールチップ・受動部品等を含む）が置かれ、それはアウトプット/インプット端子をつなぐ基板の前方につながれ、必要な電子回路を構成し、最後に超音波融合又はプレス・粘着などの方式により基板の上に接合されている。仮に熱固性樹脂を使って生産すれば、生産効率は引きあがるものの、材質が硬すぎるためにメモリーカードが備える適切な弾性が損なわれてしまうため、過度の圧力がかることで容易に破損してしまう。
【０００８】
2.また、メモリーカードのサイズと厚みはUSBの厚みと違うため、メモリーカードの筐体との間に落差を生じ、カードコネクターに差し込むと、コネクターの中に設置されている導電端子に容易に引っかかり、導電端子を傷つけ、最悪の場合変形させてしまうこともある。そのため、カード接続部分の正確性と安定性に甚大な影響を及ぼす恐れがある。
本発明者は、長年にわたり研究と実験を積み重ね、この分野における生産製造経験を生かし、ついにこの製品構造及び製造過程を発明するに至ったのである。
【発明の開示】
【発明が解決しようとする課題】
【０００９】
本発明の主たる目的は、迅速かつ良品率の高いメモリーカードの製造過程にある。
【００１０】
本発明のもうひとつの目的は、情報を読み取るメモリーカードとして使うことで、USB及びメモリーカードインターフェイス等、２つのインターフェイスの規格とサイズを備えるだけでなく、メモリーカードの標準的な厚み及び筐体に悪影響を与えないことにある。
【課題を解決するための手段】
【００１１】
上述の目的を達成するため、本発明である新型カードの構造は、熱固性及び熱可塑性という２つの長所を結びつけ、メモリーカード及びUSBという２つのインターフェイスを備えるカードに生産効率が高く、不良率発生が低く容易に組立が行え、弾力性に富み曲げることはできるが変形も破損もせず、取り外し可能なブロックを一時的にUSBに差し込んだり取り外したりすることで、メモリーカードをユーザーのニーズにあわせ、メモリーカードの筐体サイズ又はUSBポートの規格に適用させるものである。
【発明の効果】
【００１２】
上述したように、本発明である新型カードの構造はすぐれた弾力性をもつ取り外し可能なブロックを一時的にUSBに挿入・抜出して、ユーザーのさまざまなニーズに対応し得るメモリーカードとして使うことで、メモリーカードの筐体サイズまたはUSBポートの規格に適用させる効果が達成される。
【００１３】
本発明に関する詳細構造・使用効果・応用原理について、より理解を深めていただくために、次の図面と照らし合わせながら、説明を加えていく。
【実施例】
【００１４】
図１は本発明に関する具体的な実施例の構造図である。他の図も参照しながらご覧いただくとよくわかるが、本発明は主にカード本体1及び一ブロック2等から形成され、そのうち、カード本体1は熱可塑性樹脂を射出成型して作られており、本体の中にはチップモジュール10が設置され、カード本体1の一端にはメモリーカード規格及びチップモジュール10が露出するI/Oポート13（図２を参照）が設置されている。そのメモリーカード規格はSDメモリーカード、マルチメディアカードMSプロカードシリーズ、XDカード、ミニSDカードなど小型カードを採用することができる。カード本体1の別の一端には開口部12があり、その一端の残りの部分はUSB(Universal Serial Bus)のサイズと幅にぴったり適合し、その一端の一面にはUSBインターフェイスのI/Oポート14が形成され、もう一面にはカード本体1の外周に沿って水平方向の横向きに二列で内向きにへこんだ第一スロット11、11’（図２、図３を参照）が並んでおり、開口部12の夾角状の両側壁面には内向きにへこんだ第二スロット121及び動かないようにしっかりとブロックするブロック2のカードストッパー122が設置してある。ブロック2の外形はカード本体1の開口部12の輪郭とぴったり合い、ブロック2の夾角側の壁面には突起した第二コネクタ22とカードストッパー23が設置され、カード本体1の開口部12の上に設置されている内向きにへこんだ第二スロット121及びカードストッパー122が相対して連結されることで一つの完璧なメモリーカードの筐体サイズを呈す。さらに、ブロック2の一面には二列に並んだ第一コネクタ21、21’が設置され、カード本体1の第一スロット11、11’に相対して連結できるようになっている。そのうち、二列に並んだ第一コネクタ21、21’と第一スロット11、11’は、コネクタ側が太くスロット側が細く設計されているか、又はこれとは逆にコネクタ側が細くスロット側が細く設計され、それぞれ違う規格になっており、ユーザーが差し込む方向を間違え誤動作が発生しない仕組みになっている。また、二列に並んだ第一第一コネクタ21、21’は同一方向、双方背中合わせの方向、両方とも内向きなどさまざまに設置することができる。本実施例では両方とも内向きに設置した場合を採用した。このほか、ブロック2及びその上にある第一コネクタ21、21’全体の厚みはカード本体１の厚みより小さく（図４を参照）、ブロック2をカード本体1に取り付け、一つの完全なメモリーカードの筐体を呈した時，カード本体1の水平面に突出することで、そのカードを電器設備のコネクターに差し込んだために表面に突起ができ再び差し込めなくなったり、又はコネクター内部に設置されている導電端子を傷つけたりしないようになっている。
【００１５】
使用する際は、カード本体1とブロック2をつなげて一つの完全なメモリーカードの筐体（図５を参照）とする。ブロック2をカード本体1から取り外し（図６を参照）ブロック2の一面にある第一コネクタ21、21’をそのまま滑らせるように動かしカード本体1の第一スロット11、11’（図７を参照）に設置することで、ミニSDカード等の薄型カードが当該USBポートの厚みが足りないことにより脱落する危険性をなくし、カード本体1にある第一スロット11、11’とブロック2の上に設置されている第一コネクタ21、21’を備え付けることおにより、ブロック2をカード本体１にあらかじめ設けられている正確な位置にしっかりと固定させることでぽかよけ効果を発揮させ、ユーザーの単純な操作ミスにより正確な機能を十分に発揮できなくなることを避ける狙いがある。当然ながら、適用するカードの厚みを差し込むUSBポートの規格の厚み（SDメモリーカード、XD カード等）に対応させたいなら、ブロック2をカード本体1から取り外すだけで済む。再びブロック2とカード本体1を差し込んでつなげる必要がないので、直接差し込んで使うことができる。このように、メモリーカード規格及びUSB規格という２つのインターフェイスを備え合わせたカードである。
【００１６】
図８は、本発明に係る別の具体的な実施例の構造図である。当該実施例と上述の実施例との違いは、カード本体1上の辺縁部にくぼみ15を設置し、ブロック2の適切な場所に突起物24をおき、ブロック2をカード本体1に差し込むと、ぽかよけ効果が強化され、これによりブロック2をカード本体1の配置場所にしっかりはめ込み、ユーザーの簡単な操作ミスにより、製品の正確な機能が十分に発揮されないのを防ぐ効果がある。ほかの構造及び取り付け方法については、上述の実施例と重複するためここでの贅述は省く。
【００１７】
図９は、本発明に係る具体的な実施例のチャートフローである。ブロック2とカード本体1の之取り付け・取り外しを円滑に進め、正確性及び製品の耐用性を保つため、本発明で使用するブロック2及びカード本体1の筐体に用いるプラスチック材には弾力性のある熱可塑性の材質を選んだ。その製造過程については次の図を参考にしながら説明する。まず、電子回路を適切な大きさに切断する。その電子回路に受動部品・フラッシュメモリー・コントロールチップ等のIC部品及び信号伝送を行うために必要なI/Oポートから形成されるチップモジュールが設置され、熱固性樹脂にて固定・パッケージングされている。パッケージング材には熱固性樹脂を使用しているため、生産効率が高く丈夫で、パッケージングを安定かつ有効に行うことができ、さらには、製品の良品率向上にも一助ある。また、熱可塑性のソフト樹脂（TPE、TPU、TPR等ソフトプラスチック）を射出方式によりあらかじめ熱固性樹脂にてパッケージングを行ったチップモジュールの外枠を被覆すると、情報のアウトプット/インプットを行うI/Oポートだけが露出し、サーモフォーミングは、メモリーカード及びUSBという２つのインターフェイスのカード筐体を備えられるため、ブロックの部分は直接熱可塑性樹脂で射出成形することが可能。熱可塑性樹脂の外側の殻は弾力性に富み、カードを折り曲げても破裂することなく、取り付けや組立を比較的行いやすい。
【００１８】
図１０は本発明の別の具体的な実施例のフローチャートである。当該製造過程と上述の製造過程との違いは、カード本体が直接熱可塑性樹脂を使って射出・パッケージングされていることと、カードの筐体を射出成型することで、熱固性樹脂を使ったパッケージングの手順を簡素化した点にある。
【産業上の利用可能性】
【００１９】
このように、本発明は熱固性と熱可塑性樹脂を使った射出成型の特長を十分に発揮し、熱固性及び熱可塑性の材料を使って製造したカードの長所を的確に説明し、さらには生産量増大及び品質向上をさせることが可能である。役立つ。とりわけ、本発明の特殊設計にあわせると、産業上の利用に大いに役立つと考えられる。現時点でこの情報は大衆に開示されておらず、特許法の規定に基づき、実用新案登録を出願する。
【００２０】
ただ、上述の各名称は本発明の技術内容をわかりやすくするためのものであり、本発明の権利範囲に限定するものではない。本案件に関する発明のための均等変化・修飾はすべて特許申請範囲に含まれる。
【図面の簡単な説明】
【００２１】
【図１】本発明に係る具体的な実施例の構造図である。
【図２】本発明に係る具体的な実施例の別の立体視角図である。
【図３】本発明に係る具体的な実施例の組立図である。
【図４】本発明に係る具体的な実施例の切開図である。
【図５】本発明に係る具体的な実施例の立体組立図である。
【図６】本発明に係る具体的な実施例の使用手順を示した図である
【図７】本発明に係る具体的な実施例の使用手順を示した図である。
【図８】本発明に係る具体的な実施例の別の構造図である。
【図９】本発明に係る具体的な実施例のフローチャートである。
【図１０】本発明に係る具体的な実施例の別のフローチャートである。
【符号の説明】
【００２２】
1-カード本体              
10-チップモジュール
11、11’-第一スロット         12-開口部
121-第二スロット            
122-カードストッパー
13-I/Oポート               14-I/Oポート
15-くぼみ
2-ブロック                  21、21’-第一コネクタ
22-第二コネクタ            
23-カードストッパー
24-突起物
【図１】
2008257483.tif 000003
【図２】
2008257483.tif 000004
【図３】
2008257483.tif 000005
【図４】
2008257483.tif 000006
【図５】
2008257483.tif 000007
【図６】
2008257483.tif 000008
【図７】
2008257483.tif 000009
【図８】
2008257483.tif 000010
【図９】
2008257483.tif 000011
【図１０】
2008257483.tif 000012